(57)【特許請求の範囲】
【請求項１】
吊荷を上げ下げする電気チェーンブロックであって
電気チェーンブロック本体をトロリもしくは設備に取付けるための上フックと、
荷物を引っ掛ける下フックを備えたロードブロックを有し、
前記上フックと前記下フックの少なくともいずれかが、外れ止め金具の付いた鉤形状を有するフックである懸垂部と、外れ止め金具がなく円環形状を有するフックである直結部と、取り付け用の取付け穴とを備えた構造を有する懸垂直結共用式フックであることを特徴とする電気チェーンブロック。
【請求項２】
請求項１に記載の電気チェーンブロックであって、
前記懸垂直結共用式フックは、鉤形状の係合部と円環形状の係合部を有することを特徴とする電気チェーンブロック。  
【請求項３】
請求項１に記載の電気チェーンブロックであって、
前記懸垂直結共用式フックは上吊具連結金具に取付けることによって電気チェーンブロック本体に取付けられることを特徴とする電気チェーンブロック。
【請求項４】
請求項３に記載の電気チェーンブロックであって、
前記懸垂直結共用式フックと前記上吊具連結金具はピンによって取付けられ、前記懸垂直結共用式フックが回転可能であることを特徴とする電気チェーンブロック。
【請求項５】
請求項１に記載の電気チェーンブロックであって、
前記ロードブロックが懸垂直結共用式フックと下吊具連結金具とハンガーから構成されることを特徴とする電気チェーンブロック。
【請求項６】
請求項５に記載の電気チェーンブロックであって、
前記懸垂直結共用式フックと前記下吊具連結金具はピンによって取付けられ、前記懸垂直結共用式フックが回転可能であることを特徴とする電気チェーンブロック。
【発明の詳細な説明】
【技術分野】
【０００１】
本発明は、電気チェーンブロックに関する。
【背景技術】
【０００２】
本技術分野の背景技術として、電気チェーンブロックのフックには上フック及び下フックがあり、また、フックの種類については、特許文献１（特開２００７−２６１８００号公報）に記載されたような外れ止め金具の付いた鉤形状を有するフック(以下、懸垂式フック)と、特許文献２（特開平１１−１０６１８９号公報）に記載されたような外れ止め金具がなく円環形状を有するフック(以下、直結式フック)がある。
【先行技術文献】
【特許文献】
【０００３】
【特許文献１】特開２００７−２６１８００号公報
【特許文献２】特開平１１−１０６１８９号公報
【発明の概要】
【発明が解決しようとする課題】
【０００４】
電気チェーンブロックを吊下げて設置するための上フックには懸垂式フックと直結式フックの二種類の形状がある。また、吊荷を巻上げ、巻下げするためのロードブロックはハンガーと下フックから構成されており、下フックにも上フックと同様に二種類の形状がある。
【０００５】
懸垂式フックに関しては外れ止め金具の付いた鉤形状を有しており、外れ止め金具を開閉することで、上フックの場合はトロリもしくは設備への取付け、取外しを容易に行うことできる。下フックの場合は荷を吊るための吊り具つまりワイヤーロープ等の取付け、取外しが容易に行うことできる。
【０００６】
直結式フックに関しては外れ止め金具がなく円環形状を有しており、上フックの場合はトロリもしくは設備に直接組込むことができるため使用中には決して外れない構造となる。下フックの場合は荷を吊るための吊り具が直結用の専用のものとなり、常に同一形態での使用となり、吊具が外れて吊荷が落下する危険をなくすことでできる。
【０００７】
従来、この２種類のフックは上記の状況に応じてそれぞれ個別に使用されていたが、電気チェーンブロックの使用環境や設置環境を変更する場合に、フックの種類も変える必要が生じ、この変更作業に時間や費用をかけなければならなかった。
【０００８】
そこで、本発明では、使用環境によらず設備への取付け、荷の取付けが可能な電気チェーンブロックを提供することを目的とする。
【課題を解決するための手段】
【０００９】
本願は上記課題を解決する手段を複数含んでいるが、その一例を挙げるならば、吊荷を上げ下げする電気チェーンブロックであって電気チェーンブロック本体をトロリもしくは設備取付けるための上フックと、荷物を引っ掛ける下フックを備えたロードブロックを有し、前記上フックと前記下フックの少なくともいずれかが懸垂式用と直結式用の両方を兼用可能な構造を有する懸垂直結共用式フックであることを特徴とする。
【発明の効果】
【００１０】
本発明によれば、使用環境によらず設備への取付け、荷の取付けが可能な電気チェーンブロックを提供することができる。
【図面の簡単な説明】
【００１１】
【図１】従来の電気チェーンブロック本体の構成を例示した正面図である。
【図２】従来の電気チェーンブロック本体の構成を例示した側面図である。
【図３】本発明の実施形態にかかるもので、懸垂直結共用式フックを例示した正面図である。
【図４】本発明の実施形態にかかるもので、懸垂直結共用式フックを上フックとして使用する場合に使用する上吊具連結金具と組立図時の正面図である。
【図５】本発明の実施形態にかかるもので、懸垂直結共用式フックを上吊具で使用する場合の懸垂直結共用式フックの動作を表す正面図である。
【図６】本発明の実施形態にかかるもので、懸垂直結共用式フックを下フックとして使用する場合に使用する下吊具連結金具と組立時の正面図である。
【図７】本発明の実施形態にかかるもので、垂直結共用式フックを上吊具で使用する場合の懸垂直結共用式フックの動作を表す正面図である。
【発明を実施するための形態】
【００１２】
以下、実施例を図面を用いて説明する。なお、本発明は以下の実施例に限定されるものではない。
【００１３】
以下、本発明の実施形態を、図１〜７を参照して説明する。図１は従来の電気チェーンブロック本体の構成を例示した正面図、図２は従来の電気チェーンブロック本体の構成を例示した側面図、図３は懸垂直結共用式フックを例示した正面図、図４は懸垂直結共用式フックを上フックとして使用する場合に使用する上吊具連結金具と組立時の正面図、図５は懸垂直結共用式フックを上フックで使用する場合の懸垂直結共用式フックの動作を表す正面図、図６は懸垂直結共用式フックを下フックとして使用する場合に使用する下吊具連結金具と組立時の正面図、図７は懸垂直結共用式フックを上吊具で使用する場合の懸垂直結共用式フックの動作を表す正面図を示す。
【００１４】
図１、２に基づき電気チェーンブロックの全体構成及び動作原理について説明する。まず全体構成について説明する。電気チェーンブロック１００は、電動機１、減速部２、電磁ブレーキ３、上吊具４、押しボタンスイッチ５、チェーンバケット６、スプロケット７、ロードブロック１０、ロードチェーン１１を有する。電気チェーンブロック１００には、電気チェーンブロック１００を吊り下げて設置するための上フック４が取付けられている。また、電気チェーンブロック１００には電動機１が取付けられており、電動機１には電動機１で発生した回転を減速させるための減速部２が接続されおり、減速部２で減速させた回転数がスプロケット７に伝達されている。減速部２の電動機１の反対側には電動機１で発生した回転を停止させるための電磁ブレーキ３が取付けられている。
スプロケット７にはロードチェーン１１が掛け渡されているおり、ロードチェーン１１の一端にはロードブロック１０が取付けられている。電機チェーンブロック本体１００にはチェーンバケット６が吊り下げられており、ロードチェーン１１のロードブロック１０の反対側はチェーンバケット６に収納されるようになっている。
【００１５】
次に動作原理について説明する。押しボタン５の操作ボタンの押し込みにより電動機１に通電されると同時に、電磁ブレーキ３にも通電されて電磁ブレーキ３が開放し、電動機１が回転を開始する。電動機１の回転動力は減速機２で所定の回転速度に減速され、最終減速段と連結されたスプロケット７により回転をロードチェーン９に伝達し、ロードチェーン１１を介してロードブロック１０の巻上げ、巻下げを行い、吊荷を巻上げ、巻下げする。
【００１６】
図３〜７に基づき本実施例における懸垂直結共用式フック２１の構造、懸垂直結共用式フック２１を上フック及び下フックで使用する場合の構造及び使用動作について説明する。
【００１７】
図３を用いて、本実施例における懸垂直結共用式フック２１の構造について説明する。懸垂直結共用式フック２１は一つのフックで懸垂部２１ａと直結部２１ｂの両方の構造を有している。また、懸垂直結共用式フック２１は金具取付け穴２１ｃを有している。
【００１８】
懸垂部２１ａは電気チェーンブロックを取り付ける設備と係合する鉤形状の係合部と外れ止め金具１２を有し、直結部２１ｂは電気チェーンブロックを取り付ける設備と係合する円環形状の係合部を有している。
【００１９】
金具取付け穴２１ｃは懸垂部２１ａの外れ止め金具１２が付いた鉤形状の係合部と直結部２１ｂの円環形状の係合部との間に設けられており、この金具取付け穴２１ｃで懸垂直結共用式フック２１と電気チェーンブロックの本体部が接続される。
【００２０】
図４を用いて懸垂直結共用式フック２１を上フックで使用する場合の構造について説明する。上フックとして使用する場合には図５に示すように懸垂直結共用式フック２１は金具取付け穴２１ｃと上吊具連結金具２２のフック取付け穴２２ａにピン２４によって回転可能に取付けられる。
【００２１】
また、上吊具連結金具２２は本体取付け部２２ｂを有している。つまり、懸垂直結共用式フック２１は上吊具連結金具２２を介して電気チェーンブロック１００に取付けることが可能となる。
【００２２】
図５を用いて上フックで使用する場合の懸垂直結共用式フック２１の動作について説明する。上述のように懸垂直結共用式フックは一つのフックで懸垂部２１ａと直結部２１ｂの両方の構造を有しており、用途に合わせて使いわけることが可能となる。
【００２３】
懸垂直結共用式フック２１は上吊具連結金具２２にピン２４で回転可能に取付けられているため、トロリもしくは設備に設置する際、懸垂直結共用式フック２１の可動範囲内であれば、どの状態で取り付けても懸垂直結共用式フック２１は電気チェーンブロック１００の自重によって、ピン２４を支点として回転し、懸垂部２１ａを使用する場合には、懸垂部２１ａが本体に対して上側に出るような方向２６ａに回転し、所定の位置３１ａで保持される。一方、直結部２１ｂを使用する場合には、直結部２１ｂが本体に対して上側に出るような方向２６ｂに回転し、所定の位置３１ｂで保持される。
【００２４】
このことから、電気チェーンブロックの取付け環境によらず、設備への取付けが可能となる。
【００２５】
図６を用いて懸垂直結共用式フック２１を下フックで使用する場合の構造について説明する。下フックとして使用する場合には懸垂直結共用式フック２１は金具取付け穴２１ｃと下吊具連結金具２３のフック取付け穴２３ａにピン２４で回転可能となるように取付けられる。
【００２６】
また、下吊具連結金具２３はハンガー取付け穴２３ｂによってハンガー２４に水平方向に回転自在に連結され、ハンガー８にはロードチェーン１１が取付けられる。懸垂直結共用式フック２１は下吊具連結金具２３及びハンガー２４を介してロードチェーン１１に取付けることが可能となる。
【００２７】
つまり、本実施例ではハンガー２４・下吊具連結金具２３・懸垂式共用フック２１が一体となり共用式ロードブロック２６となる。
【００２８】
図７を用いて下フックで使用する場合の懸垂直結共用式フック２１の動作について説明する。懸垂式直結式共用フック２１は下吊具連結金具２３にピン２４で回転可能となるように取付けられているため、懸垂直結共用式フック２１は吊荷を吊ることによって、ピン２４を支点として回転することで、懸垂部２１ａで使用する場合には懸垂部２１ａが本体に対して下側に出るような方向２７ａに回転し、所定の位置３２ａで保持される。
【００２９】
直結部２１ｂで使用する場合には、直結部２１ｂが本体に対して下側に出るような方向２７ｂに回転し、所定の位置３２ｂで保持される。
【００３０】
このことから、使用環境によらず荷の取付けが可能な電気チェーンブロックを提供することができる。
【００３１】
懸垂部２１ａでの使用から直結部２１ｂへの使用の変更、または、直結部２１ａでの使用から懸垂部２１ｂの使用の変更は、フックを回転させることで可能となる。
【００３２】
以上のことから、本実施例によれば、懸垂直結共用式フック２１を上吊具の上フックとして使用すると、電気チェーンブロックを設置する際に、トロリもしくは設備に直接組込み使用中には決して外れない直結式、または取付け・取外しが容易に行える懸垂式を選択することができる。
【００３３】
また、ロードブロックの下フックとして使用すると、ワイヤーロープ等一般的に使用される吊り具の場合には外れ止め金具を有するフックを、専用の吊り具を使用する場合には直結式フックの使用と、使い分けることが可能となる電気チェーンブロックを提供することができる。
【符号の説明】
【００３４】
１００…電気チェーンブロック
１…電動機
２…減速部  
３…電磁ブレーキ  
４…上吊具
５…押しボタンスイッチ
６…チェーンバケット
７…スプロケット
８…ハンガー
９…下フック
１０…ロードブロック
１１…ロードチェーン
１２…外れ止め金具
２１…懸垂直結式共用式フック
２１ａ…懸垂直結式共用式フック懸垂部
２１ｂ…懸垂直結式共用式フック直結部
２１ｃ…懸垂直結式共用式フック金具取付け穴
２２…上吊具連結金具
２２ａ…上吊具連結金具フック取付け穴
２２ｂ…上吊具連結金具本体取付け部
２３…下吊具連結金具
２３ａ…下吊具連結金具下フック取付け穴
２３ｂ…下吊具連結金具ハンガー取付け穴
２４…ピン
２５…共用式ロードブロック
２６ａ…懸垂部２１ａが本体に対して垂直となる方向(上フック時)
２６ｂ…直結部２１ｂが本体に対して垂直となる方向(上フック時)
２７ａ…懸垂部２１ａが本体に対して垂直となる方向(下フック時)
２７ｂ…直結部２１ｂが本体に対して垂直となる方向(下フック時)
３１ａ…懸垂式上フック使用時
３１ｂ…直結式上フック使用時
３２ａ…懸垂式下フック使用時
３２ｂ…直結式下フック使用時
【図１】
0006431797.tif 000002
【図２】
0006431797.tif 000003
【図３】
0006431797.tif 000004
【図４】
0006431797.tif 000005
【図５】
0006431797.tif 000006
【図６】
0006431797.tif 000007
【図７】
0006431797.tif 000008